(57)【特許請求の範囲】
【請求項１】
複写機本体等の機器本体に取り付け固定される第１取付部材と、該第１取付部材にスライド可能に取り付けられる第２取付部材と、上記第１取付部材の底板から折り曲げられた背板と上記第２取付部材の背板との間に設けられた調整手段と、上記第２取付部材にヒンジ軸を介して回動自在に枢着されると共に、原稿圧着板等の開閉部材を直接または間接的に取り付ける支持部材から構成される開閉装置の開閉機構において、
前記第１取付部材は、前記機器本体に固定される底板と、該底板の後端からほぼ垂直に立ち上がっている背板と、上記底板の両側から、各々ほぼ垂直に立ち上がっている側板１ｃから形成され、また、前記第２取付部材が、背板と、該背板の両側から、各々横方向にほぼ直角に折れ曲がっている側板から形成されていることを特徴とする開閉装置の開閉機構。
【請求項２】
前記第２取付部材が、連結軸を介して前記第１取付部材にスライド可能に取り付けられることを特徴とする請求項１に記載の開閉装置の開閉機構。
【請求項３】
前記第１取付部材の側板の上端部をコ字状に折り返し、前記第２取付部材の側板の上端縁を、上記第１取付部材の側板のコ字状上端部により抱き込ませて、スライド可能に取り付けることを特徴とする請求項１に記載の開閉装置の開閉機構。
【請求項４】
前記調整手段が、前記第１取付部材の背板あるいは前記第２取付部材の背板のいずれか一方に設けられた調整用ネジ孔と、いずれか他方に設けられた調整ネジ用孔と、上記調整用ネジ孔に螺合すると共に上記調整ネジ用孔に回転自在に且つ軸方向に規制されて取り付けられる調整ネジから構成されることを特徴とする請求項２または３に記載の開閉装置の開閉機構。
【請求項５】
前記調整ネジの前後端面に、ドライバー用溝を形成して、正逆回転させることができるように構成したことを特徴とする請求項４に記載の開閉装置の開閉機構。
【発明の詳細な説明】
【技術分野】
【０００１】
本発明は、例えば、複写機・ファクシミリ・スキャナー・これら複合機器等の画像読取り装置における原稿圧着板等の開閉装置の取付位置調整機構に関する。
【背景技術】
【０００２】
従来、この種の開閉装置の取付位置調整機構としては、開閉装置の取付部材の底板上に配置され、該複写機本体等の機器本体との間で挟んで、該機器本体に上記開閉装置を取り付け固定する調整板を設け、該調整板と上記取付部材間に調整用ネジを介在させて、上記機器本体に対する開閉装置の位置を調整し、該開閉装置を機器本体の正確な位置に取り付ける機構があった。（特許文献１参照）
【０００３】
また従来、支持部材やリフト部材からなる開閉部材を回転自在に支持する取付部材を、事務機器の機器本体に移動可能に取り付け、該取付部材を位置調節手段により装置本体の側部側から操作できるようにした位置調整機構があった。（特許文献２参照）
【０００４】
上記特許文献１の従来の取付位置調整機構は、開閉装置の背面からの調整しかできず、また、荷重の大きなＡＤＦ（原稿自動送り装置）の取り付け直角調整を行う際、調整作業者が移動を強いられ、作業効率が悪かった。さらに、調整の際に動かすのは開閉装置であり、樹脂製の機器本体と金属製の開閉装置との間の摩擦抵抗が高く、作業者への負荷が大きい等の問題点があった。
【０００５】
また、上記特許文献２の位置調整機構は、取付部材の底面が二重構造となっているため、移動（摺動）が円滑かつ確実に行われず、こじれてしまうような不具合があった。
【先行技術文献】
【特許文献】
【０００６】
【特許文献１】特許第３９３０２６７号公報
【特許文献２】特開２００６−２０１２９３号公報
【発明の概要】
【発明が解決しようとする課題】
【０００７】
本発明は、上記従来の問題点を解決して、機器本体に対して取付部材を円滑かつ確実に移動（摺動）させることができると共に、開閉装置を確実かつ安定して取り付けることができ、また、調整作業が容易で効率よく調整作業を行うことができる開閉装置の取付位置調整機構を提供することを課題とする。
【課題を解決するための手段】
【０００８】
本発明の開閉装置の取付位置調整機構は、複写機本体等の機器本体に取り付け固定される第１取付部材と、該第１取付部材にスライド可能に取り付けられる第２取付部材と、上記第１取付部材の底板から折り曲げられた背板と上記第２取付部材の背板との間に設けられた調整手段と、上記第２取付部材にヒンジ軸を介して回動自在に枢着されると共に、原稿圧着板等の開閉部材を直接または間接的に取り付ける支持部材から構成されることを特徴とする。また、前記第１取付部材は、前記機器本体に固定される底板と、該底板の後端からほぼ垂直に立ち上がっている背板と、上記底板の両側から、各々ほぼ垂直に立ち上がっている側板１ｃから形成され、また、前記第２取付部材が、背板と、該背板の両側から、各々横方向にほぼ直角に折れ曲がっている側板から形成されていることを特徴とする。さらに、前記第２取付部材が、連結軸を介して前記第１取付部材にスライド可能に取り付けられることを特徴とする。また更に、前記第１取付部材の側板の上端部をコ字状に折り返し、前記第２取付部材の側板の上端縁を、上記コ字状の側板により抱き込ませて、スライド可能に取り付けることを特徴とする。更に又、前記調整手段が、前記第１取付部材の背板あるいは前記第２取付部材の背板のいずれか一方に設けられた調整用ネジ孔と、いずれか他方に設けられた調整ネジ用孔と、上記調整用ネジ孔に螺合すると共に上記調整ネジ用孔に回転自在に且つ軸方向に規制されて取り付けられる調整ネジから構成されることを特徴とする。また、前記調整ネジの前後端面に、ドライバー用溝を形成して、正逆回転させることができるように構成したことを特徴とする。
【発明の効果】
【０００９】
本発明の開閉装置の取付位置調整機構は、機器本体に対して取付部材を円滑かつ確実に移動（摺動）させることができると共に、開閉装置を確実かつ安定して取り付けることができ、また、調整作業が容易で効率よく調整作業を行うことができる。
【図面の簡単な説明】
【００１０】
【図１】本発明の取付位置調整機構を備えた開閉装置の一実施例を示す斜視図である。
【図２】図１の開閉装置の開いた状態の斜視図である。
【図３】本発明の第１取付部材と第２取付部材を組み付けた状態の斜視図である。
【図４】図３の別の方向から見た斜視図である。
【図５】第１取付部材の斜視図である。
【図６】第２取付部材の斜視図である。
【図７】図３の縦断面図である。
【図８】第１取付部材と第２取付部材を組み付けた状態の別の実施例を示す横断面図である。
【発明を実施するための形態】
【００１１】
以下、本発明の開閉装置の取付位置調整機構の実施例について、図面を参照しながら説明する。
図１および図２において、Ｈは開閉装置であり、１は該開閉装置Ｈを機器本体Ｍ（図７参照）に取り付ける第１取付部材、２は該第１取付部材１にスライド可能に取り付けられる第２取付部材である。該第２取付部材２には、ヒンジ軸３を介して支持部材４が回転自在に取り付けられ、さらに、該支持部材４には、その先端部に設けられたリフト軸５を介してリフト部材６が、上記支持部材４の回転方向とは逆方向に、回転自在に取り付けられている。
【００１２】
上記リフト部材６の取付ブラケット６ａには、原稿圧着板（図示せず）等の開閉部材が取り付け固定されるようになっている。上記リフト部材６を省略して、上記支持部材４に原稿圧着板を直接的に取り付けるようにしてもよい。なお、上記支持部材４およびリフト部材６等の具体的な構成や作用は、本発明の主題ではないので、従来公知の開閉装置の開閉機構のいずれでもよいが、例えば、特開２０１１−１１２７６５号公開公報等を参照されたい。
【００１３】
図３および図４は、上記第１取付部材１と第２取付部材２を組み付けた状態の斜視図であって、主として２本の連結軸７により相互にスライド可能に連結されている。８は、開閉装置Ｈの開閉角度の調整用板である。
【００１４】
図５からも明らかなように、上記第１取付部材１は、主として底板１ａと、該底板１ａの後端からほぼ垂直に立ち上がっている背板１ｂと、上記底板１ａの両側から、各々ほぼ垂直に立ち上がっている側板１ｃから形成されている。
【００１５】
上記底板１ａには、図７からも分かるように、複写機等の機器本体Ｍに螺設される取付ネジ９を挿入する取付孔１ｄと、機器本体Ｍに螺合する固定ネジ１０を挿入するための固定孔１ｅが形成されている。また、上記背板１ｂには、調整ネジ１１と螺合する調整用ネジ孔１ｆが形成されている。さらに、上記２つの側板１ｃには、それぞれ２つの長孔１ｇが形成され、上記連結軸７を挿設するようになっている。
【００１６】
図６からも明らかなように、上記第２取付部材２は、主として背板２ａと、該背板２ａの両側から、各々横方向にほぼ直角に折れ曲がっている側板２ｂから形成されている。上記背板２ａには、上記調整ネジ１１を、軸方向に規制し且つ回転自在に取り付けるための調整ネジ用孔２ｃと、上記調整用板８に嵌合するピン２ｄ（図４および図７を参照）と、固定ネジ１２が螺合する固定孔２ｅが形成されている。また、上記側板２ｂには、それぞれ上記連結軸７（図３参照）が挿通する孔２ｆと、上記支持部材４を回転自在に支持するヒンジ軸３を挿設するための軸孔２ｇがそれぞれ形成されている。なお、上記調整ネジ１１を上記第２取付部材２の背板２ａに設け、他方、調整用ネジ孔１ｆを上記第１取付部材１の背板１ｂに設けてもよい。
【００１７】
本実施例の取付位置調整機構は、以上のように構成されているので、図７に示すように、上記第１取付部材１を機器本体Ｍに取り付け固定するには、まず、上記取付ネジ９を機器本体Ｍの取付ネジ孔ｍ１に螺合する。この際、上記取付ネジ９の頭部９ａを、上記底板１ａの厚みより余裕をもって、機器本体Ｍの取付面から浮かしておく。この状態で、該取付ネジ９の頭部９ａが、上記第１取付部材１の底板１ａの取付孔１ｄの大径部分に入るようにして、該第１取付部材１を機器本体Ｍの取付面上にセットする。次ぎに、第１取付部材１を、図７で右方向にスライドさせて、上記取付ネジ９が上記取付孔１ｄの小径部分に入れる。この状態で、上記取付ネジ９を締め付けて、上記第１取付部材１を機器本体Ｍに固定する。この固定状態を、更に確実かつ安定させるために、上記第１取付部材１の固定孔１ｅから、上記機器本体Ｍのネジ孔ｍ２に固定ネジ１０を締め付け固定する。
【００１８】
次ぎに、図３に示すように、上記第１取付部材１の両側板１ｃの内側に、上記第２取付部材２の両側板２ｂを位置せしめると共に、該第２取付部材２の上記背板２ａの内側に、上記第１取付部材１の上記背板１ｂを位置せしめた状態で、両者をセットする。
【００１９】
この状態で、上記第１取付部材１の長孔１ｇと、上記第２取付部材２の孔２ｆを合わせ、上記連結軸７を挿設する。上記長孔１ｇが上記底板１ａの方向に長孔となっているので、上記第１取付部材１の底板１ａに沿って上記第２取付部材２を移動させ、位置調整をすることができる。なお、予め上記第１取付部材１と上記第２取付部材２とを組み付けてから、上記取付ネジ９および固定ネジ１０により、機器本体Ｍに取り付けるようにしてもよい。
【００２０】
上記第１取付部材１の底板１ａに沿って上記第２取付部材２を移動させ、位置調整をする際には、上記調整ネジ１１を正逆回転させることにより行う。すなわち、図７において、上記調整ネジ１１は、上述のように、第１取付部材１の背板１ｂの調整用ネジ孔１ｆにねじ込まれると共に、その先端部に形成した周溝１１ａを、上記第２取付部材２の背板２ａに形成した調整ネジ用孔２ｃに回転自在に嵌合させる。この構成により、上記調整ネジ１１を正逆回転させることにより、上記第１取付部材１に対して上記第２取付部材２を前後に調整移動させることができる。なお、該調整ネジ１１の前後端面に、スリワリや十字溝等のマイナスあるいはプラスのドライバー用溝を形成しておくことにより、本開閉装置Ｈの前後のいずれの方向からも、位置調整ができる。
【００２１】
上記実施例では、第１取付部材１と第２取付部材２を、２本の連結軸７により相互にスライド可能に連結したが、図８に示すように、上記第１取付部材１の側板１ｃの上端部をコ字状１ｃ′に折り返して、上記第２取付部材２の側板２ｂの上端縁を抱き込ませるように構成し、相互にスライド可能に且つ第２取付部材２が浮き上がらないように規制してもよい。
【符号の説明】
【００２２】
１      第１取付部材
１ａ    底板
１ｂ    背板
１ｃ    側板
１ｃ′  コ字状
１ｄ    取付孔
１ｅ    固定孔
１ｆ    調整用ネジ孔
１ｇ    長孔
２      第２取付部材
２ａ    背板
２ｂ    側板
２ｃ    調整ネジ用孔
２ｄ    ピン
２ｅ    固定孔
２ｆ    孔
２ｇ    軸孔
３      ヒンジ軸
４      支持部材
５      リフト軸
６      リフト部材
６ａ    取付ブラケット
７      連結軸
８      調整用板
９      取付ネジ
１０    固定ネジ
１１    調整ネジ
１１ａ  周溝
１２    固定ネジ
Ｈ      開閉装置
Ｍ      機器本体
ｍ１    取付ネジ孔
ｍ２    ネジ孔
【図１】
0005893861.tif 000002
【図２】
0005893861.tif 000003
【図３】
0005893861.tif 000004
【図４】
0005893861.tif 000005
【図５】
0005893861.tif 000006
【図６】
0005893861.tif 000007
【図７】
0005893861.tif 000008
【図８】
0005893861.tif 000009